(57)【特許請求の範囲】
【請求項１】
日付に関連付けて情報を表示する表示手段を備えた移動体通信端末であって、
前記表示手段に表示する情報を記憶する記憶手段と、
通信ネットワーク上のサーバからそのサーバが提供するコンテンツのフィードを取得し、その取得したフィードを日付に関連付けて前記記憶手段に保存する取得手段とを備え
前記取得手段は、予め設定した所定タイミングで定期的に前記サーバに接続して前記フィードの更新確認を行い、前記フィードが更新されている場合には、その更新されたフィードを取得し、
前記記憶手段は、前記サーバから取得された更新後のフィードが、既に記憶されている更新前のフィードに上書きされて保存される第１記憶領域と、前記サーバから取得された更新後のフィードが上書きされずに追加保存される第２記憶領域とを有し、
前記表示手段は、前記日付に関連付けて表示する情報として、前記記憶手段の第２記憶領域に保存されているフィードを用いることを特徴とする移動通信端末。
【請求項２】
請求項１に記載の移動体通信端末において、
前記取得手段は、前記サーバから前記フィードを取得したときの取得応答に含まれる情報に基づいて、そのフィードを前記第２記憶領域に保存するか否かを判断することを特徴とする移動体通信端末。
【請求項３】
請求項１または請求項２に記載の移動体通信端末において、
前記取得手段は、情報の取得が予約された開始日時から終了日時までの予約取得期間に、前記情報を取得することを特徴とする移動体通信端末。
【請求項４】
請求項３に記載の移動体通信端末において、
前記サーバから取得した前記予約取得期間の設定データに基づいて、前記予約取得期間を設定する予約設定手段を備えたことを特徴とする移動体通信端末。
【請求項５】
請求項４に記載の移動体通信端末において、
前記予約取得期間の設定データは、前記サーバが提供するコンテンツのフィードに含まれていることを特徴とする移動体通信端末。
【請求項６】
請求項３に記載の移動体通信端末において、
前記記憶手段は、前記情報の予約取得専用の記憶領域を有することを特徴とする移動体通信端末。
【発明の詳細な説明】
【技術分野】
【０００１】
本発明は、日付に関連付けて情報を表示する表示手段を備えた携帯電話機等の移動体通信端末に関するものである。
【背景技術】
【０００２】
従来、日付に関連付けて予定などの情報を表示するスケジュール表示機能を有する携帯電話機等の移動体通信端末が知られている。この移動体通信端末では、例えばカレンダー表示で指定した特定の日付に、利用者がキー操作して予定等のデータを手入力して登録する。この利用者が手入力した登録情報が、その指定の日付の表示部分に表示される。
【発明の開示】
【発明が解決しようとする課題】
【０００３】
しかしながら、上記従来の移動体通信端末では、利用者が指定した日付の表示部分には、利用者が手入力して登録した情報しか表示することができず、手入力以外の情報も表示したい利用者にとって不便であった。
【０００４】
本発明は、上記問題に鑑みなされたものであり、その目的とするところは、利用者が手入力した情報以外の情報についても日付に関連付けて表示できるようにし、利用者の利便性を高めることができる移動体通信端末を提供することである。
【課題を解決するための手段】
【０００５】
上記目的を達成するために、請求項１の発明は、日付に関連付けて情報を表示する表示手段を備えた移動体通信端末であって、前記表示手段に表示する情報を記憶する記憶手段と、通信ネットワーク上のサーバからそのサーバが提供するコンテンツのフィードを取得し、その取得したフィードを日付に関連付けて前記記憶手段に保存する取得手段とを備え前記取得手段は、予め設定した所定タイミングで定期的に前記サーバに接続して前記フィードの更新確認を行い、前記フィードが更新されている場合には、その更新されたフィードを取得し、前記記憶手段は、前記サーバから取得された更新後のフィードが、既に記憶されている更新前のフィードに上書きされて保存される第１記憶領域と、前記サーバから取得された更新後のフィードが上書きされずに追加保存される第２記憶領域とを有し、前記表示手段は、前記日付に関連付けて表示する情報として、前記記憶手段の第２記憶領域に保存されているフィードを用いることを特徴とするものである。
また、請求項２の発明は、請求項１に記載の移動体通信端末において、前記取得手段は、前記サーバから前記フィードを取得したときの取得応答に含まれる情報に基づいて、そのフィードを前記第２記憶領域に保存するか否かを判断することを特徴とするものである。
また、請求項３の発明は、請求項１または請求項２に記載の移動体通信端末において、前記取得手段は、情報の取得が予約された開始日時から終了日時までの予約取得期間に、前記情報を取得することを特徴とするものである。
また、請求項４の発明は、請求項３に記載の移動体通信端末において、前記サーバから取得した前記予約取得期間の設定データに基づいて、前記予約取得期間を設定する予約設定手段を備えたことを特徴とするものである。
また、請求項５の発明は、請求項４に記載の移動体通信端末において、前記予約取得期間の設定データは、前記サーバが提供するコンテンツのフィードに含まれていることを特徴とするものである。
また、請求項６の発明は、請求項３に記載の移動体通信端末において、前記記憶手段は、前記情報の予約取得専用の記憶領域を有することを特徴とするものである。
【発明の効果】
【０００６】
本発明によれば、利用者が手入力した情報以外の情報として、通信ネットワーク上のサーバから取得したそのサーバが提供するコンテンツのフィードを、日付に関連付けて記憶手段に保存する。この記憶手段に記憶されているサーバから取得したフィードは、その日付に関連付けて表示手段に表示することができる。このように利用者が手入力した情報以外の情報についても日付に関連付けて表示できるため、日付に関連付けて情報を表示する場合における利用者の利便性を高めることができるという効果がある。
【発明を実施するための最良の形態】
【０００７】
以下、図面を参照して本発明の実施の形態について説明する。
図１は本実施形態に係る通信システム全体の概略構成の一例を示す説明図である。この通信システムは、移動体通信端末としての携帯電話機１０と、移動体通信事業者によって管理されている通信ネットワークとしての携帯電話通信網２０とを用いて構成されている。携帯電話通信網２０は、基地局２０１や図示しない交換機（回線交換機、パケット交換機）等を備え、図示しないゲートウェイサーバを介してインターネット３０等の他の通信ネットワークに接続されている。また、携帯電話通信網２０及びインターネット３０には、ＷＥＢコンテンツを提供するＷＥＢサーバ４１が接続されている。ＷＥＢサーバ４１は、各種ＷＥＢコンテンツのほか、そのＷＥＢコンテンツの要約情報も提供する。また、ＷＥＢサーバ４１は携帯電話通信網２０側に設けてもよい。これらのサーバから携帯電話機１０にコンテンツをダウンロードするときには、ネットワークの各階層において所定の通信プロトコルが用いられる。例えば、ＷＥＢサーバ４１からＷＥＢページをダウンロードするときのアプリケーション層の通信プロトコルとしては、ＨＴＴＰ（Hyper Text Transfer Protocol）が用いられる。
【０００８】
図２は、上記ＷＥＢサーバ４１のハードウェア構成の一例を示すブロック図である。このＷＥＢサーバ４１は、システムバス４００、ＣＰＵ４０１、ＲＡＭ４０２、ＲＯＭ４０３、外部記憶装置４０４、入力装置４０５、出力装置４０６、及びインターネット用通信装置４０７を備えている。上記ＲＡＭ４０２やＲＯＭ４０３等は内部記憶装置として用いられる。上記外部記憶装置は、ハードディスクドライブ（ＨＤＤ）や光ディスクドライブ等で構成されている。上記入力装置４０５は、マウスやキーボード等で構成されている。上記出力装置４０６は、ディスプレイやプリンタ等で構成されている。上記通信装置４０７は、所定の通信プロトコルにより、携帯電話通信網２０を介して他の携帯電話機や他のサーバと通信したり、インターネット３０上の各種クライアント端末や他のサーバと通信したりするための装置である。
【０００９】
上記ＣＰＵ４０１やＲＡＭ４０２等の構成要素はお互いに、システムバス４００を介して、データやプログラムの命令等のやり取りを行っている。このＷＥＢサーバ４１を所定の手順に従って動作させるためのプログラムはＲＯＭ４０３や外部記憶装置４０４に記憶されており、必要に応じてＣＰＵ４０１やＲＡＭ４０２上の作業エリアに呼び出されて実行される。
【００１０】
また、上記ＷＥＢサーバ４１はそれぞれ一部又は全体を専用の制御装置として構成してもいいし、一部又は全体を汎用のコンピュータシステムを用いて構成してもよい。また、ＷＥＢサーバ４１はそれぞれ、１台のコンピュータで構成してもいいし、複数の機能をそれぞれ受け持つ複数台のコンピュータをネットワークで結んで構成してもよい。
【００１１】
図３は、ＷＥＢサーバ４１の構成例を示す機能ブロック図である。ＷＥＢサーバ４１は、記憶手段４１５と受信手段４１６と送信手段４１７とを備えている。このＷＥＢサーバ４１は、ＣＰＵ等からなるハードウェア上で所定のプログラムを実行することにより、上記各手段の機能を実現している。上記記憶手段４１５は、上記内部記憶装置や外部記憶装置で構成され、携帯電話機１０で受信可能な各種ＷＥＢコンテンツのデータや、そのＷＥＢコンテンツの要約情報のデータを記憶している。上記受信手段４１６は、上記ＣＰＵ４０１や通信装置４０７等で構成され、上記記憶手段４１５に記憶されている複数種類のＷＥＢコンテンツやそのＷＥＢコンテンツの要約情報を要求する取得要求を携帯電話機１０から受信する。上記送信手段４１７は、上記ＣＰＵ４０１や通信装置４０７等で構成され、上記取得要求に基づいて選択されたＷＥＢコンテンツのデータや、そのＷＥＢコンテンツの要約情報のデータを移動体通信端末１０に送信する。
【００１２】
上記ＷＥＢコンテンツの要約情報のデータは、携帯電話機からの取得要求に応じて、例えばＲＳＳと呼ばれるフォーマットで送受信することができる。このＲＳＳは、ＷＥＢサーバ（ＷＥＢサイト）で提供されるＷＥＢコンテンツの見出し、要約情報等のメタデータを構造化して記述するＸＭＬ（Extensible Markup Language）ベースのフォーマットである。ＲＳＳはいくつかのバージョン（RSS0.9X, RSS1.0, RSS2.0, Atom）が存在し、バージョンごとに「Rich Site Summary」、「Really Simple Syndication」、「RDF Site Summary」という正式名称で呼ばれている。このＲＳＳフォーマットで記述された文書は「ＲＳＳフィード」と呼ばれ、ＲＳＳフィードを受信して表示するソフトウェアは「ＲＳＳリーダ」と呼ばれている。ＷＥＢコンテンツが更新されると、携帯電話機からの取得要求に応じて、更新後のＷＥＢコンテンツの要約情報を反映したＲＳＳフィードが携帯電話機に送信される。上記ＷＥＢコンテンツの要約情報としては、例えば、ニュース、天気、イベント等の情報を送信することができる。
【００１３】
図４は携帯電話機１０の一構成例を示す外観図であり、図５は、その携帯電話機１０のハードウェア構成の一例を示す概略構成図である。携帯電話機１０は、システムバス１００、ＣＰＵ１０１、ＲＡＭ１０２やＲＯＭ１０３等の記憶装置、入力装置１０４、出力装置１０５及び携帯電話通信網用通信装置１０６を備えている。ＣＰＵ１０１やＲＡＭ１０２等の構成要素は、システムバス１００を介して、互いに各種データやプログラムの命令等のやり取りを行っている。
【００１４】
上記ＣＰＵ１０１は、上記記憶装置から所定のプログラムを読み込んで実行することにより、ネイティブ側の電話機プラットフォームの基本ソフト（ＯＳ）上で、音声通話機能や、アプリケーションソフト（以下「アプリケーション」という。）による各種機能を実現することができる。このアプリケーションによる機能としては、ＲＳＳリーダ、ＷＥＢブラウザ、メーラー、外部装置とのデータ送受信、アドレス帳管理、スケジューラ、メモ帳等がある。
【００１５】
また、上記ＣＰＵ１０１は、上記記憶装置から所定のプログラムを読み込んで実行することにより、ネイティブ側の電話機プラットフォーム上でアプリケーションを実行するためのアプリケーション実行環境を構築することができる。そして、このアプリケーション実行環境上で、携帯電話機１０にプリインストールされているアプリケーションや、利用者がダウンロードして登録したアプリケーション等の各種アプリケーションを実行することができる。
【００１６】
上記入力装置１０４は、データ入力キー（テンキー、＊キー、＃キー）１１、通話開始キー１２、終話キー１３、スクロールキー１４、多機能キー１５、マイク１６等から構成されている。この入力装置１０４のテンキー１１、通話開始キー１２、終話キー１３等により、利用者が操作可能な操作部が構成される。この操作部を操作することにより、利用者は、携帯電話機１０に対してコンテンツ取得先のＵＲＬ等のデータを入力したり、電話着信の際に通話の開始及び終了を行ったり、アプリケーションの選択、起動及び停止を行ったりすることができる。また、利用者は上記操作部を操作することにより、上記ＷＥＢサーバ４１から、アプリケーションプログラム等のコンテンツをダウンロードして登録することができる。
【００１７】
上記出力装置１０５は、表示手段である液晶ディスプレイ（ＬＣＤ）１７、音出力手段であるスピーカ１８等から構成されている。上記液晶ディスプレイ（ＬＣＤ）１７やスピーカ１８等からなる出力装置等で構成されている出力部は、携帯電話通信網２０を介して受信したＷｅｂページを液晶ディスプレイ（ＬＣＤ）１７に表示したり、携帯電話通信網２０から情報を着信した旨を利用者に知らせたりするときに用いられる。具体的には、その情報を着信すると、出力部の液晶ディスプレイ（ＬＣＤ）１７に着信報知画像を表示したり、スピーカ１８から着信音を出力させたりする。なお、上記スピーカ１８は、通話中の音声を聞くための受話器用スピーカ（レシーバ）と、着信音や音楽などを出力する外部出力用スピーカとを別々に設けて構成してもいいし、これらの受話器用スピーカ及び外部出力用スピーカを兼用するように一つのスピーカで構成してもよい。
【００１８】
上記携帯電話通信網用通信装置１０６は、変復調器、シンセサイザ、周波数変換器，高周波増幅器などにより構成され、携帯電話通信網２０を介して他の携帯電話機や上記サーバ４１等と通信するときに用いられる。この携帯電話通信網用通信装置１０６は、携帯電話通信網２０を介して他の携帯電話機とメールのやり取りを行ったり、携帯電話通信網２０からゲートウェイサーバを介して、インターネット等の外部の通信ネットワークに接続し、インターネット上での電子メールのやり取り等を行ったりするための通信手段として用いられる。更に、この携帯電話通信網用通信装置１０６は、携帯電話通信網２０を介して、サーバ４１が提供する各種コンテンツをダウンロードしたり、現在位置の位置情報を含む配信情報を受信したりする情報受信手段としても用いられる。
【００１９】
図６は、本実施形態に係る携帯電話機１０の主要な機能を抽出して示した機能ブロック図である。この携帯電話機１０は、通信手段１１０と表示手段１１４と記憶手段１１２と表示制御手段１１３とを備えている。また、携帯電話機には、カレンダー表示用アプリケーション１１１プログラムが記憶されている。
【００２０】
上記通信手段１１０は上記通信装置１０６等で構成され、ＨＴＴＰ等の所定の通信プロトコルを用いて携帯電話通信網２０を介した通信を行う。この通信手段１１０は、各種のＷＥＢコンテンツをＷＥＢサーバ４１から取得する取得手段として用いられる。また、この通信手段１１０はＷＥＢサーバ４１にアクセスし、そのサーバから前述のＲＳＳフィードを取得する取得手段として用いられる。また、通信手段１１０は、予め設定した所定タイミングで定期的にＷＥＢサーバ４１に接続して要約情報の更新確認を行い、要約情報が更新されている場合はその更新後の要約情報の取得を行う機能も有している。
【００２１】
上記表示手段１１４は上記ディスプレイ等で構成され、実行中のアプリケーションに応じて所定の画面を表示する。
【００２２】
上記記憶手段１１２は上記ＲＡＭ１０２等の記憶装置により構成され、カレンダー表示用アプリケーション１１１が使用するカレンダー登録情報用記憶領域１１２ａを有している。カレンダー登録情報用記憶領域１１２ａには、ディスプレイに表示するカレンダーの日付ごとに表示されるスケジュール、メモ等、カレンダー表示用アプリケーションが実行されているときに利用者が入力して登録した登録情報が記憶されている。また、カレンダー登録情報用記憶領域１１２ａには、ディスプレイに表示するカレンダーの日付ごとに表示されるＲＳＳフィードなどの情報も、ＷＥＢサーバ４１から取得した登録情報として記憶されている。
【００２３】
上記表示制御手段１１３は上記ＣＰＵ１０１等で構成され、カレンダー表示用アプリケーションが上記カレンダー登録情報用記憶領域１１２ａから読み出した、利用者入力の登録情報や、ＲＳＳフィードなどのＷＥＢサーバ４１から取得した登録情報を、カレンダーの日付表示画面の所定領域に表示するように制御する。
【００２４】
図７は、ディスプレイ１７に表示されるカレンダー画像を例示する説明図である。図７（ａ）は、特定の月について一覧表示した月表示のカレンダー画像の例である。この月表示のカレンダー表示部１９０ａにおいて、いずれか日を選択して所定のキーを押下すると（図示の例では３月１７日）、図７（ｂ）のような１日分の日表示のカレンダー表示部（スケジュール表示部）１９０ｂが表示される。また、この日表示のカレンダー表示部１９０ｂには、スケジュール、メモなどのどの登録情報が書き込まれている。登録情報の書き込みは、日表示のカレンダー表示部１９０ｂの表示画面で、「入力」を選択すると図示しない入力画面へ遷移する。そして、所定の情報を入力したのち、「登録」を選択すると、入力した情報が、カレンダー登録情報用記憶領域１１２ａに日付データと関連付けて記憶されるとともに、図７（ｂ）の画面に遷移し、入力した情報が表示される。また、日表示のカレンダー表示部１９０ｂの下には、表示された日（３月１７日）に起きたニュースの概略内容などのＷＥＢサーバ４１から取得したコンテンツの要約情報が表示されるコンテンツ情報表示部１９０ｃを有している。このコンテンツ情報表示部１９０ｃには、ＲＳＳフィードなどのコンテンツ情報が表示される。この図７（ｂ）に示す例では、コンテンツ情報表示部１９０ｃにニュースの要約情報を示すＲＳＳフィードがコンテンツ情報として表示されているが、これに限られない。例えば、コンテンツ情報を「今日のイベント情報」として、表示された日（３月１７日）に行われる利用者が予め登録した地域のイベントの要約情報や、店舗の安売り情報を示すＲＳＳフィードを表示してもよい。また、コンテンツ情報を「今日の運勢」として、利用者が予め登録した星座の占いの概略内容を示すＲＳＳフィードとしたり、コンテンツ情報を「今日の天気」として、利用者が予め登録した地域の天気の内容を示すＲＳＳフィードとしたりしてもよい。
【００２５】
また、コンテンツ情報表示部１９０ｃに表示させるＲＳＳフィードの内容を利用者が選択できるようにしてもよい。
図８は、日表示のカレンダー表示部（スケジュール表示部）１９０ｂの下のコンテンツ情報表示部１９０ｃに表示するＲＳＳフィードを選択するときのディスプレイの遷移画面の一例を示す例である。図８（ａ）に示すように、図示しないメニュー画面から、コンテンツ情報選択画面を表示する。このコンテンツ情報選択画面で「今日の運勢」を選択したら、図８（ｂ）に示すような星座選択画面に遷移する。この星座選択画面から、利用者の星座など、所定の星座を選択する。利用者が、「おひつじ座」を選択した場合は、「おひつじ座」の運勢の概略内容を示すＲＳＳフィードが、毎日所定のタイミングで取得するように設定される。そして、図８（ｄ）の確認画面が表示される。これにより、前述の図７（ｂ）に示すコンテンツ情報表示部１９０ｃには、おひつじ座の今日（３月１７日）の運勢の内容が記述されたＲＳＳフィードが表示される。また、図８（ａ）のコンテンツ情報選択画面で「今日のイベント」や「今日の天気」を選択した場合は、図８（ｃ）に示す地域選択画面へ遷移し、利用者の住んでいる地域など、所定の地域を利用者に選択させる。利用者が、「地域Ａ」を選択した場合は、地域Ａのイベント情報または天気情報の内容を示すＲＳＳフィードが所定のタイミングで取得されるように設定される。
【００２６】
図９は、上記構成の携帯電話機１０において、カレンダー表示用アプリケーション１１１でカレンダー表示を行う際に、受信したＲＳＳフィードなどの追加表示情報を画面に表示するときのフローチャートである。まず、利用者は、携帯電話機１０を操作してカレンダー表示用アプリケーション１１１を起動する（Ｓ１）。次に、ディスプレイの画面に表示される図７（ａ）で示した月表示カレンダー表示部１９０ａから利用者が所定の日付を選択する（Ｓ２）。次に、携帯電話機１０は、記憶手段１１２のカレンダー登録情報用記憶領域１１２ａに保存されている、利用者が選択した日付に該当する登録情報を読み出す（Ｓ３）。次に、記憶手段１１２のカレンダー登録情報用記憶領域１１２ａに保存されている選択した日付に該当する、ＷＥＢサーバ４１から受信したＲＳＳフィードを読み出す（Ｓ４）。上記選択した日付に該当するＲＳＳフィードの読み出しは、例えば、ＲＳＳフィードのチャンネル要素やアイテム要素におけるdc:date要素等に記述されている日付情報や、ＲＳＳフィードをＷＥＢサーバ４１から受信したときに含まれるレスポンスヘッダに記述される更新日情報（Last Modified）に基づいて行う。そして、読み出した登録情報を日表示のカレンダー表示画面（スケジュール表示画面）１９０ｂに表示し（Ｓ５）、読み出したＲＳＳフィードをコンテンツ情報表示部１９０ｃに表示する（Ｓ６）。
【００２７】
以上、本実施形態によれば、カレンダー表示用アプリケーション１１１でカレンダー表示を行う際に、表示されたカレンダー表示画面（スケジュール表示画面）に、通信ネットワーク上のＷＥＢサーバ４１から受信したＲＳＳフィード等のコンテンツ情報を表示することができる。従って、カレンダー表示画面で、表示している日に起こったニュースや、その日の天気、その日に行われるイベントなどの各種コンテンツ情報を確認できる。
【００２８】
図１０は、他の実施形態に係る携帯電話機１０の主要な機能を抽出して示した機能ブロック図である。この実施形態においては、ＲＳＳフィードを閲覧するための要約情報閲覧アプリケーション１１５が実行可能に構成されている。記憶手段１１２には、要約情報閲覧アプリケーション１１５が使用する閲覧アプリケーション用記憶領域１１２ｂ（第１記憶領域）が設けられている。この閲覧アプリケーション用記憶領域１１２ｂに保存されているＲＳＳフィードは、更新されたＲＳＳフィードのデータを受信した場合は、更新されたＲＳＳフィードデータに上書きされる。一方、カレンダー登録情報用記憶領域１１２ａ（第２記憶領域）に記憶されるＲＳＳフィードデータは、更新されたＲＳＳフィードデータで上書きされることなく保存される。これにより、過去の日付けのカレンダー（スケジュール）を表示したとき、コンテンツ情報表示部１９０ｃにその日付に該当するように登録しておいたＲＳＳフィードを表示することができる。
【００２９】
上記第２記憶領域たるカレンダー登録情報用記憶領域１１２ａに保存するＲＳＳフィードのContent-TypeヘッダのＭＩＭＥ（Multipurpose Internet Mail Extension）ＴＹＰＥには、図１１に示すように識別子Ａが付加されている。前述の通信手段（取得手段）１１０は、この識別子Ａに基づいて、取得したＲＳＳフィードを閲覧アプリケーション用記憶領域１１２ｂに保存するか、カレンダー登録情報用記憶領域１１２ａに保存するかを判断する判断手段としての機能を有している。
【００３０】
また、前述の表示制御手段１１３は、要約情報閲覧アプリケーション１１５が上記閲覧アプリケーション用記憶領域１１２ｂから読み出したＲＳＳフィードのデータを表示するように制御する。
【００３１】
図１２は、ＷＥＢサーバ４１から定期的に取得して保存されたＲＳＳフィードをＲＳＳリーダで表示するときの画面遷移の一例を示す説明図である。本例では、ＲＳＳフィードを利用するメニューとして、ニュースのＷＥＢコンテンツのＲＳＳフィードを表示する「ニュースインフォリスト」を選択した場合について示す。まず、利用者が、ＲＳＳリーダのアプリケーションを起動し、ＲＳＳリーダのトップメニュー画面７０１で「ニュースインフォリスト」を選択すると、「ニュースインフォリスト」のトップ画面７０２が表示される。この「ニュースインフォリスト」のトップ画面７０２には、利用者が予め登録している、ニュースコンテンツを提供しているＲＳＳ対応のＷＥＢサイトの一覧が表示される。この「ニュースインフォリスト」のトップ画面７０２で、利用者は、ＲＳＳフィードを表示したいニュースコンテンツのＷＥＢサイトを選択することができる。例えば、図示のように「ＺＺＺモバイルニュース」というＷＥＢサイトを選択すると、その「ＺＺＺモバイルニュース」のＷＥＢサイトから取得したＲＳＳフィードに含まれるニュースの記事タイトルを一覧表示する記事タイトルリスト画面７０３が表示される。この記事タイトルリスト画面７０３に表示されている複数の記事タイトルのいずれか１つを選択すると、その選択した記事タイトルとともにニュースの概略内容を示すＲＳＳフィード表示画面７０４が表示される。
【００３２】
なお、上記図１２の記事タイトルリスト画面７０３に表示されているＷＥＢサイトタイトルの部分は、そのＷＥＢサイトのトップページにリンクされている。このＷＥＢサイトタイトルの部分を選択すると、ブラウザが起動し、上記ニュースコンテンツを提供するＷＥＢサイトのトップページの画面８０１が表示される。また、上記ＲＳＳフィード表示画面７０４に表示されている記事タイトルの部分は、その記事の詳細内容を提供しているＷＥＢページにリンクされている。この記事タイトルの部分を選択すると、ブラウザが起動し、上記記事のＷＥＢページの画面８０２が表示される。
【００３３】
図１３は、ＲＳＳフィード取得時の制御フローである。図１３に示すように、ＷＥＢサーバ４１に対してＲＳＳフィードの取得要求をして、通信手段１１０がＲＳＳフィードを受信したら（Ｓ１のＹＥＳ）、通信手段１１０は、ＲＳＳフィードとともに送信されたContent-TypeヘッダのＭＩＭＥＴＹＰＥに識別子が付加されているか否かをチェックする（Ｓ２）。識別子がある場合（Ｓ２のＹＥＳ）、通信手段１１０は、受信したＲＳＳフィードが、カレンダー表示用アプリケーション１１１が使用するものと判断し、受信したＲＳＳフィードをカレンダー登録情報用記憶領域１１２ａに保存する（Ｓ３）。一方、識別子がない場合（Ｓ２のＮＯ）、通信手段１１０は、受信したＲＳＳフィードは、要約情報閲覧用アプリケーション１１５が使用するものを判断し、受信したＲＳＳフィードを閲覧アプリケーション用記憶領域１１２ｂに保存する（Ｓ４）。
【００３４】
以上、図１０〜図１３を用いて説明した実施形態によれば、Content-TypeヘッダのＭＩＭＥＴＹＰＥに付加された識別子によって、カレンダー表示用アプリケーション１１１が使用するカレンダー登録情報用記憶領域１１２ａに保存するか、要約情報閲覧用アプリケーション１１５が使用する閲覧アプリケーション用記憶領域１１２ｂに保存するかを判断している。これにより、ＲＳＳフィードを表示するアプリケーションがカレンダー表示用アプリケーション１１１以外にあったとしても、カレンダー表示用アプリケーション１１１で使用されるＲＳＳフィードをカレンダー登録情報用記憶領域１１２ａにも正しく保存することができる。
【００３５】
なお、上記実施形態において、図１４に示すように、通信手段１１０が受信したＲＳＳフィードは、全て記憶手段１１２の閲覧アプリケーション用記憶領域１１２ｂに保存し、要約情報閲覧アプリケーション１１５で閲覧できるようにし、その閲覧アプリケーション用記憶領域１１２ｂに保存したＲＳＳフィードのうち、その後の更新処理で取得した更新された情報に上書きされずに残したいＲＳＳフィードを上記カレンダー登録情報用記憶領域１１２ａへ保存するようにしてもよい。
【００３６】
また、上記実施形態において、上記サーバが提供するＲＳＳフィードの新規追加取得や更新処理による取得を、将来の特定の１日又は複数日に設定した予約取得期間に限定して行うことができるように予約取得機能を持たせてもよい。
【００３７】
上記将来の予約取得期間に限定して取得するＲＳＳフィードの情報としては、オークションの取引価格情報、サッカーや野球などの試合途中経過や結果の情報、ユーザ参加型のアンケート、投票、懸賞応募の途中経過や結果の情報、テレビ番組ややラジオ番組と連動して提供される情報などが挙げられる。このような情報を将来の予約取得期間に限定して取得しようとする場合、取得希望の情報を含むＲＳＳフィードの配信が行われる特定の１日又は複数日の前後に、利用者が携帯電話機を操作して、そのＲＳＳフィードの受信設定及びその解除を行うことが考えられる。しかしながら、この場合は、上記ＲＳＳフィードの配信日等を気にし、その都度、携帯電話機を操作する必要があり、利用者の利便性に欠ける。また、取得希望の情報があることがわかったときに、その情報を含むＲＳＳフィードが実際に配信される特定の１日又は複数日を跨って長期にわたって、そのＲＳＳフィードの更新処理を設定することが考えられる。しかしながら、この場合は、上記長期にわたって実行される更新処理で通信料がかさんでしまう。
【００３８】
そこで、利用者が希望する情報の取得が予約された開始日時から終了日時までの予約取得期間を、スケジュール機能と連携して設定できるようにするのが好ましい。このスケジュール機能で予約設定した予約取得期間の開始日時には、取得希望の情報を含むＲＳＳフィードが新規追加取得される。その後、上記予約取得期間中には、予め設定した所定タイミングで定期的にサーバに接続して前記情報の更新確認が行われ、前記情報が更新されている場合には、その更新された情報を取得する更新処理が実行される。この更新処理は、上記予約取得期間の終了日時まで続けられる。
【００３９】
上記予約取得期間は、１日、数日、又は数時間と比較的短い期間であり、そのような短い時間に高い頻度で配信対象の情報の更新が行われる場合が多いので、上記ＲＳＳフィードの定期的な更新確認タイミング（更新確認の周期）は、通常のＲＳＳフィードの場合よりも短く設定するのが好ましい。例えば、配信対象の情報の種類に応じて、１分や数分に設定される。このようにスケジュール機能を利用して利用者が予約設定した予約取得期間（開始日時及び終了日時）のデータは、取得対象の情報を含むＲＳＳフィードを提供するサーバの接続先情報（ＵＲＬ）と対応付けられて、例えば前述の記憶手段１１２に保存される。また、このように利用者によって登録されたＲＳＳフィードの取得予約状況は、他のスケジュール情報などと同様に、表示手段１１４で表示されるカレンダー表示部の該当する日にちに表示される。
【００４０】
図１５は、利用者がカレンダー表示部から入力して予約設定した特定の予約取得期間（特定の日の特定の時間帯）にＲＳＳフィードの更新処理を行うときのフローチャートである。また、図１６は、上記予約取得状況及び予約取得したコンテンツ情報の表示例を示すディスプレイ画面の説明図である。利用者がＲＳＳフィードの予約取得を設定した日は、ディスプレイ１７に表示されるカレンダー表示部２００ａ上で確認することができる。図１６（ａ）の例では、ＲＳＳフィードの予約取得が設定された６月１２日、１８日及び２２日が、更新イベントありのグレー表示の日にちとして確認できる。この予約取得が設定された日（図示の例では、６月２２日）を選択して所定のキーを押下すると、図１６（ｂ）に示すような１日分の日表示のカレンダー表示部が表示される。このカレンダー表示部の上部に設定されたスケジュール表示部２００ｂには、予め登録されている通常のスケジュールの内容が表示される。そして、カレンダー表示部の下部に設定されたＲＳＳ予約設定表示部２００ｃには、その日に取得するように予約されたＲＳＳフィードの内容とその予約取得期間（予約ＲＳＳ取得開始タイミング−予約ＲＳＳ取得終了タイミング）が表示される。
【００４１】
このようにＲＳＳフィードの予約取得が設定されている状態で、前述の通信手段（取得手段）１１０は、クロックからの時刻データ及び上記予約取得期間のデータに基づいて、予約ＲＳＳ取得開始タイミングか否かを判断する（Ｓ１）。予約ＲＳＳ取得開始タイミングが到来したら、通信手段１１０は、ＷＥＢサーバ４１に対してＲＳＳフィードの取得要求をしてＲＳＳフィードを受信する（Ｓ２のＹＥＳ）。ＲＳＳフィードの保存については、前述の図１３と同様であるので、説明を省略する。このＲＳＳフィードの新規追加取得及びその保存（Ｓ３〜Ｓ５）が終了したら、通信手段１１０は、予約ＲＳＳ取得終了タイミングか否かを判断する（Ｓ６）。この予約ＲＳＳ取得終了タイミングが到来するまで、所定のＲＳＳ更新タイミングで、上記ＲＳＳフィードで配信される情報の更新確認が行われその情報が更新されている場合には、更新された情報を含むＲＳＳフィードを取得する更新確認処理が繰り返される（Ｓ７，Ｓ２〜Ｓ５）。そして、予約ＲＳＳ取得終了タイミングが到来したら、利用者が予約取得が設定した一連のＲＳＳフィードの新規追加取得処理及びその後の更新確認処理が終了する。
【００４２】
上記新規追加取得処理及び更新確認処理で取得されたＲＳＳフィードに含まれる情報のアイテムタイトルやその内容は、上記予約取得期間の途中及びその期間経過後に確認できる。図１６（ｃ）は、ＲＳＳフィードによって予約取得したサッカーの試合に関するコンテンツ情報の取得結果の一例を示すディスプレイ画面の説明図である。この画面の上部に設定されたＲＳＳ予約設定表示部２００ｄには、その予約されたＲＳＳフィードの内容とその予約取得期間が表示されている。また、画面の下部に設定されたＲＳＳ取得履歴表示部２００ｅには、その予約取得期間に取得されたコンテンツ情報のアイテムタイトルとその取得時間が表示されている。そのアイテムタイトルのいずれかを選択し、所定のキーを押下すると、図１６（ｄ）に示すように選択したアイテムタイトル（図示の例では「同点ゴール」）のコンテンツアイテムのコンテンツ情報の内容を表示することができる。図１６（ｄ）の画面の上部に設定されたアイテムタイトル表示部２００ｆには、選択したアイテムタイトルが表示されている。また、同画面の下部に設定された内容表示部２００ｇには、そのアイテムタイトルに対応するコンテンツ情報（図示の例ではサッカーのゴールを決めた時の写真イメージとその要約記事の内容）が表示されている。
【００４３】
このように利用者が希望する情報の取得が予約された開始日時から終了日時までの予約取得期間を、スケジュール機能と連携して設定できるようにすることにより、利用者の利便性と通信料の低減の両立を図りつつ、利用者が希望する情報の予約取得が可能になる。
【００４４】
なお、上記ＷＥＢコンテンツの要約情報であるＲＳＳフィードの予約取得を実行する予約取得期間は、携帯電話機の利用者が設定するほか、ＲＳＳフィードの提供者側で設定できるようにしてもよい。この場合、上記予約取得期間のデータは、例えば、ＷＥＢサーバから受信したＲＳＳフィードの取得応答のヘッダや、ＲＳＳフィード内の拡張されたタグ等に記述することができる。ＲＳＳフィードの取得応答のヘッダとしては、携帯電話機側のカレンダー機能と連動するように設定されたカレンダー連動ヘッダが挙げられる。また、上記ＲＳＳフィード内の拡張タグとしては、Date要素が挙げられる。これらのヘッダや拡張タグに所定のフォーマットで予約取得期間（開始日時及び終了日時）のデータが記述されていた場合、携帯電話機は、カレンダー機能によりＲＳＳフィードの予約取得を自動登録する。
【００４５】
図１７は、ＷＥＢサーバから取得したＲＳＳフィードに基づく更新予約時間帯（予約取得期間）の設定及びその更新予約時間帯におけるＲＳＳフィードの自動更新の一例を示すシーケンス図である。まず、利用者は、携帯電話機１０を操作することにより、上記更新予約時間帯の設定データを含むＲＳＳフィードを提供しているＷＥＢサーバ４１にアクセスする。そして、そのＷＥＢサーバ４１から提供されているＷＥＢページ４１上のＲＳＳフィードのボタンを選択すると、携帯電話機１０は、上記更新予約時間帯の設定データを含むＲＳＳフィードをダウンロードして取得する（Ｓ１）。次に、携帯電話機１０は、ＷＥＢページ４１から取得したＲＳＳフィードを解析し、そのＲＳＳフィードに含まれている更新予約対象のＲＳＳフィードのタイトル、ＷＥＢサーバ４１の接続先情報（ＵＲＩ）、更新予約時間帯の開始日時及び終了日時等の設定データを読み出す。携帯電話機１０は、読み出した設定データを、記憶手段４１５に予め設定されている情報の予約取得専用の記憶領域にあるスケジュール付きＲＳＳリストに保存して登録する（Ｓ２）。なお、上記予約取得専用の記憶領域は、上記ＲＳＳフィードの予約取得の管理を容易にするものである。この予約取得専用の記憶領域は、前述の常時更新リストが保存される閲覧アプリケーション用記憶領域１１２ｂ（第１記憶領域）や、前述のカレンダー登録情報用記憶領域１１２ａ（第２記憶領域）とは別に設けられる。
【００４６】
携帯電話機１０は時計やカレンダー機能と連動し、上記更新予約時間帯の開始日時が到来すると、スケジュール付きＲＳＳリストに登録されているＲＳＳフィードの取得更新を開始する（Ｓ３）。携帯電話機１０は、更新予約時間帯において、予め設定されている所定のタイミング（例えば、１５分ごと、３０分ごと、１時間ごと）で、ＲＳＳフィードの新規取得及び更新を実行し、ＷＥＢサーバ４１から取得したＲＳＳフィードのデータを、上記記憶手段４１５の予約取得専用の記憶領域に保存する（Ｓ４〜Ｓ９）。そして、更新予約時間帯の終了日時が到来すると、携帯電話機１０は、上記ＲＳＳフィードの更新を停止する（Ｓ１０）
【００４７】
上記図１７に示すようにＷＥＢサーバ４１から取得した情報に含まれる設定データに基づいて上記更新予約時間帯（予約取得期間）を設定する場合は、利用者が更新予約時間帯を入力するための操作が不要となり、ＲＳＳフィードの取得を簡易に予約することができ、携帯電話機１０の操作性が向上する。また、ＷＥＢコンテンツやＲＳＳフィードを提供する情報提供者側から、その情報提供者が提供するＲＳＳフィードの新規取得及び更新を携帯電話機１０で実行させる更新予約時間帯（予約取得期間）を指定することができる。
【００４８】
また、本発明は、携帯電話機に限定することなく、表示手段を備えたものであれば様々な移動体通信端末に適用することができる。すなわち、本発明における「移動体通信端末」としては、ＰＤＣ（Personal Digital Cellular）方式、ＧＳＭ（Global System for Mobile Communication）方式、ＴＩＡ（Telecommunications Industry Association）方式等の携帯電話機、ＩＭＴ（International Mobile Telecommunications）−２０００で標準化された携帯電話機、ＴＤ−ＳＣＤＭＡ（Time Division Synchronous Code Division Multiple Access）方式の一つであるＴＤ−ＳＣＤＭＡ（ＭＣ：Multi Carrier）方式の携帯電話機、ＰＨＳ（Personal Handyphone System）、自動車電話機、固定電話機等の通話機能を有する電話機が挙げられる。また、この「移動体通信端末」としては、上記電話機のほか、通話機能を有するＰＤＡ（Personal Digital Assistance）等の通信端末も挙げられる。
【図面の簡単な説明】
【００４９】
【図１】本発明の実施形態に係る通信システムの概略構成図。
【図２】ＷＥＢサーバのハードウェア構成のブロック図。
【図３】ＷＥＢサーバの機能ブロック図。
【図４】携帯電話機の外観図。
【図５】携帯電話機のハードウェア構成のブロック図。
【図６】携帯電話機の機能ブロック図。
【図７】（ａ）、（ｂ）はそれぞれディスプレイに表示されるカレンダー表示画面を例示する説明図。
【図８】（ａ）〜（ｄ）はカレンダー表示画面に表示するコンテンツ情報を選択するときのディスプレイに表示される表示画面を例示する説明図。
【図９】カレンダー表示用アプリケーションでカレンダー表示を行う際に、受信したＲＳＳフィードなどの追加表示情報を画面に表示するときのフローチャート。
【図１０】他の実施形態に係る携帯電話機の機能ブロック図。
【図１１】ＲＳＳフィードのContent-TypeヘッダのＭＩＭＥＴＹＰＥのデータの一例を示す図。
【図１２】ＷＥＢサーバから定期的に取得して保存されたＲＳＳフィードをＲＳＳリーダで表示するときの画面遷移を示す説明図。
【図１３】ＲＳＳフィード取得時の制御のフローチャート。
【図１４】他の変形例の携帯電話機の機能ブロック図。
【図１５】利用者がカレンダー表示部から入力して予約設定した特定の予約取得期間にＲＳＳフィードの更新処理を行うときのフローチャート。
【図１６】（ａ）及び（ｂ）は予約取得状況の表示の一例を示すディスプレイ画面の説明図。（ｃ）及び（ｄ）はその予約取得したコンテンツ情報の表示例を示すディスプレイ画面の説明図。
【図１７】ＷＥＢサーバから取得したＲＳＳフィードに基づく更新予約時間帯（予約取得期間）の設定及びその更新予約時間帯におけるＲＳＳフィードの自動更新の一例を示すシーケンス図。
【符号の説明】
【００５０】
１０    携帯電話機
２０    携帯電話通信網
３０    インターネット
４１    ＷＥＢサーバ
１１０    通信手段（取得手段）
１１１    カレンダー表示用アプリケーション
１１２    記憶手段
１１２ａ  カレンダー登録情報用記憶領域
１１２ｂ  閲覧アプリケーション用記憶領域
１１３    表示制御手段
１１４    表示手段
１１５    要約情報閲覧アプリケーション
【図１】
0004791261.tif 000002
【図２】
0004791261.tif 000003
【図３】
0004791261.tif 000004
【図４】
0004791261.tif 000005
【図５】
0004791261.tif 000006
【図６】
0004791261.tif 000007
【図７】
0004791261.tif 000008
【図８】
0004791261.tif 000009
【図９】
0004791261.tif 000010
【図１０】
0004791261.tif 000011
【図１１】
0004791261.tif 000012
【図１２】
0004791261.tif 000013
【図１３】
0004791261.tif 000014
【図１４】
0004791261.tif 000015
【図１５】
0004791261.tif 000016
【図１６】
0004791261.tif 000017
【図１７】
0004791261.tif 000018